(57)【特許請求の範囲】
【請求項１】
無線信号を検出および送信するための少なくとも１つの無線受信モジュール（４）を有する、少なくとも１つの医療装置（２）用の、少なくとも１つのモバイル制御ユニット（３）と、
該モバイル制御ユニット（３）に接続された制御装置（６）と、
前記無線受信モジュール（４）と通信することが可能な少なくとも１つの別個のモバイル無線送信モジュール（５）と、を備え、
該少なくとも１つの無線送信モジュール（５）は、前記無線受信モジュール（４）に識別特徴を送信するように構成されており、
前記制御装置（６）は、前記識別特徴を、記憶された識別特徴と比較し、比較のポジティブな結果の後、前記モバイル制御ユニット（３）の操作機能を解放するように構成されている医療装置制御システムを操作する方法において、
少なくとも１つの無線送信モジュール（５）が、識別特徴を有する信号を送信し、
無線受信モジュール（４）が、前記信号を受信し、該信号を制御装置（６）へ送信し、
該制御装置（６）は、前記識別特徴を、記憶された識別特徴と比較し、
比較の結果がポジティブであったならば前記制御装置（６）はモバイル制御ユニット（３）の操作機能を解放し、
各無線送信モジュール（５）の識別特徴のためにそれぞれのパスワードを記憶し、前記モバイル制御ユニット（３）は、前記識別特徴に対応するプロンプトを出力し、適切なパスワードが追加的に入力されると前記モバイル制御ユニット（３）の操作機能を解放し、
前記医療装置制御システムにおける最初のログイン時、前記パスワードよりも広範囲なロングパスワードを入力し、前記モバイル制御ユニット（３）が操作されない所定の期間の後、前記医療装置制御システムは解放を無効にし、次いで、ログインを行うことを特徴とする、医療装置制御システムを操作する方法。
【請求項２】
前記モバイル制御ユニット（３）が所定の期間の後操作されないと、前記医療装置制御システムは前記解放を無効にする、請求項１記載の方法。
【請求項３】
パスワードの代わりにグラフィックパターンを入力する、請求項１又は２記載の方法。
【請求項４】
パスワードの代わりに、顔認証を行う、請求項１又は２記載の方法。
【請求項５】
複数の無線送信モジュール（５）のそれぞれの識別特徴を有する信号が無線受信モジュール（４）によって受け取られた場合、全ての信号の識別特徴に対応するプロンプトを前記モバイル制御ユニット（３）に出力し、前記プロンプトのいずれかが選択されかつそれぞれのパスワードが入力されると、前記モバイル制御ユニット（３）の操作機能を解放する、請求項１から４までのいずれか１項記載の方法。
【請求項６】
前記モバイル制御ユニット（３）から所定の距離以内に配置された無線送信モジュール（５）のそれぞれのプロンプトのみが表示されるように前記しきい値を調節する、前記医療装置制御システムであって、前記無線受信モジュール（４）は、無線信号の信号強度を検出するように適応されており、前記無線受信モジュール（４）は、信号強度のためのしきい値を有しており、その強度が前記しきい値よりも高い無線信号のみが送信される、医療装置制御システムを用いた請求項１から５までのいずれか１項記載の方法。
【請求項７】
前記識別特徴に割り当てられた操作機能のみを解放する、請求項１から６までのいずれか１項記載の方法。
【発明の詳細な説明】
【技術分野】
【０００１】
本発明は、医療装置制御システムおよび医療装置制御システムを操作する方法、特に操作機能の単純化された解放を可能にするシステムおよび方法に関する。
【背景技術】
【０００２】
今まで、医療装置は、医療装置に取り付けられた制御盤によってまたは医療装置に割り当てられた遠隔制御によって制御されてきた。これにより、個々の医療装置の操作のための認証は、明らかに制限されてきた。
【０００３】
近年、複数の医療装置を操作するためのモバイル制御ユニットがますます利用されている。しかしながら、場合によっては、特定の人だけが医療装置の操作のために認証されることが必要である。
【０００４】
しかしながら、緊急の状況では医療装置の迅速な操作が必要となる可能性があるので、例えば、手術中に手術室において煩雑なログイン手順は不可能である。
【発明の概要】
【発明が解決しようとする課題】
【０００５】
本発明は、所定のユーザのために医療装置制御システムを操作するための単純化されたログイン手順を可能にする、医療装置制御システムを提供するという課題に基づく。
【課題を解決するための手段】
【０００６】
この課題は、請求項１記載の医療装置制御システムおよび請求項７記載の方法によって解決される。
【０００７】
請求項１記載の医療装置制御システムによって、個人ごとにモバイル制御システムの操作の単純な解放を可能にすることができる。
【０００８】
以下、添付の図面を参照する実施の形態によって本発明を説明する。
【図面の簡単な説明】
【０００９】
【図１】手術室の透視図である。
【図２】手術室を有する建物の１つのセクションの間取り図である。
【発明を実施するための形態】
【００１０】
図１には、建物の１つのセクション、例えば病院における部屋１として手術室の透視図が示されている。部屋１には、医療装置２として、手術台および複数の手術用照明が示されている。さらに、医療装置２のためのモバイル制御ユニット３としてタブレットＰＣが提供されている。モバイル制御ユニット３には、無線受信モジュール４が備え付けられている。
【００１１】
さらに、部屋１には別個のモバイル無線送信モジュール５が設けられている。別個のモバイル無線送信モジュール５は、ここではいわゆるバッジとして設けられている。これらのバッジは、ここでは手術室人員によって着用される。無線送信モジュール５はそれぞれ、個々のバッジに対応する識別特徴を含んだ信号を送信し、それにより、手術室人員の個人を識別することができる。図１に見られるように、１つのバッジ５が図の左側に配置されており、２つのバッジ５がモバイル制御ユニット３のすぐ近くにある。
【００１２】
別々のモバイル無線送信モジュール５によって送信された信号は、モバイル制御ユニット３の無線受信モジュール４によって受信され、これにより、無線送信モジュール５は、無線受信モジュール４と通信することが可能となる。
【００１３】
さらに、モバイル制御ユニット３に接続された制御装置６が設けられている。制御装置６はメモリ領域７を有しており、このメモリ領域７には、バッジまたは無線送信モジュール５の識別特徴が、場合によっては、その他のデータ、ここでは、選択的にパスワードまたはロングパスワード（後述する）とともに、記憶されている。
【００１４】
制御装置６は、無線受信モジュール４によって検出されかつ制御装置６へ送られた識別特徴を有する信号を検出し、この信号を、メモリ領域７に記憶された識別特徴と比較するように構成されている。比較のポジティブな結果の後、識別特徴の合致が通知され、制御装置６は、モバイル制御ユニット３の操作機能を解放するように構成される。
【００１５】
選択的に、この解放は、関連するパスワードまたはロングパスワードの入力後に行われる。
【００１６】
無線受信モジュール４は、無線送信モジュール５の無線信号の信号強度が検出されるように構成されている。無線受信モジュール４にはしきい値が設定されており、これにより、信号強度がしきい値よりも大きい無線信号のみが無線受信モジュール４から制御装置６へ送られるようになっている。
【００１７】
これらの構成要素、モバイル制御ユニット３、無線受信モジュール４、無線送信モジュール５および制御装置６は、医療装置制御システムの構成要素である。
【００１８】
この実施の形態では、モバイル制御ユニット３の無線受信モジュール４と、無線送信モジュール５とは、“Bluetooth Low Energy”（BLE）モジュールである。代替的な実施の形態では、これらのモジュールは、例えば、RFIDモジュール、ZigBeeモジュールまたはWLANモジュールである。
【００１９】
この実施の形態では、１つのモバイル制御ユニット３と、４つの医療装置２、すなわち手術台および３つの手術用照明とが示されている。代替的な実施の形態では、複数のモバイル制御ユニット３および／または別の数の医療装置を提供することもできる。
【００２０】
図２には、部屋１としての手術室を有する建物の１つのセクションの間取り図が示されている。
【００２１】
図１に見られるように、無線送信モジュール５を有する２つのバッジはモバイル制御ユニット３のすぐ近くに配置されており、無線送信モジュール５のうちの１つを有する１つのバッジは部屋１の反対側の角に配置されている。したがって、手術室人員のうちの２人のメンバーは、モバイル制御ユニット３の直接アウトレンジにある。無線送信モジュール５のうちの１つを有する別のバッジ、つまり、手術室人員の別のメンバーは、別の部屋１にいる。モバイル制御ユニット３の周囲には、信号強度がしきい値よりも大きくなるように全ての無線送信モジュール５が配置される最大所定距離を有する領域が示されている。これにより、それぞれのプロンプトがモバイル制御ユニット３に表示される。
【００２２】
使用時には、医療装置制御システムを操作するために、ユーザはまずログインされなければならない。ログインをできるだけ迅速に行うために、場合によっては、短縮されたパスワードとともに、識別特徴が使用される。
【００２３】
このために、バッジの無線送信モジュール５は、無線送信モジュール５の識別特徴を備えるメッセージを周期的な間隔で送信する。この識別特徴は、例えば、MACアドレスまたはモジュールの名前である。信号は、モバイル制御ユニット３における無線受信モジュール４によって受信され、制御装置６へ送られる。制御装置６は、識別特徴を、メモリ領域７に記憶された識別特徴と比較し、比較のポジティブな結果の場合、つまり、検出された識別特徴が記憶された識別特徴のうちの１つと合致した場合、モバイル制御ユニット３の操作機能を解放する。
【００２４】
選択的に、この解放は、モバイル制御ユニット３が操作されない所定の期間の後、無効にされる。
【００２５】
所定の期間の後またはユーザログアウトの後、解放が無効にされるやいなや、無線送信モジュール５の信号が再び検出され、モバイル制御ユニットの近接が疑似スキャンされる。
【００２６】
別のオプションにおいて、追加的にパスワードを入力することが必要である。このために、識別特徴に対応するプロンプト、例えば、手術室人員のメンバーの名前がモバイル制御ユニット３に出力され、それに対する適切な人員のそれぞれのパスワードが、モバイル制御ユニット３において入力される。
【００２７】
代替的な実施の形態では、パスワードの代わりに、グラフィックパターンを入力することや、顔または指紋認証を行うことも可能である。
【００２８】
バッジを有する手術室人員のうちの複数のメンバーがモバイル制御ユニット３の領域にいるならば、識別特徴に対応するプロンプト（名前）の全てが選択的に出力される。次いで、手術室人員のメンバーは、自分の名前を選んで、適切なパスワードを入力する。
【００２９】
より高いセキュリティを保証するために、選択的に、医療装置制御システムにおける最初のログイン時にいわゆるロングパスワードを入力することが必要である。したがって、そのセキュリティに関して、このパスワードは、一致したガイドラインに対応し、適切な長さを有する。最初のログインが行われるやいなや、識別特徴との組合せにおいていわゆるクイックログインを行うために、より短いパスワードを入力することができる。
【００３０】
モバイル制御ユニット３の近くにいる手術室人員のメンバーは、医療装置制御システムの潜在的なユーザであると考えられる。この観点は、医療装置制御システムにおいて、モバイル制御ユニット３から所定の距離に配置された無線送信モジュール５のそれぞれのプロンプトのみが表示されるべく無線受信モジュール４におけるしきい値が調節されるように、実施される。所定の距離として、例えば、ユーザのうちの一人の届く範囲を考えることができる。
【００３１】
別の代替的な実施の形態では、１つの識別特徴、つまり、ユーザのうちの一人に割り当てられたモバイル制御ユニット３の特定の操作機能のみが解放される。
【００３２】
個々のオプションを有する様々な実施の形態を互いに組み合わせることができる。
【図１】
0006556766.tif 000002
【図２】
0006556766.tif 000003